(57)【特許請求の範囲】
【請求項１】
高能率符号化方式に従って、パケット識別番号（ＰＩＤ）により区別された複数の番組を多重してなるトランスポートストリームの入力を受け、
前記トランスポートストリームから、複数の番組をそれぞれのＰＩＤごとに分離して、ペイロードデータとして出力するＰＩＤフィルタ手段と、
前記それぞれのペイロードデータに、該ＰＩＤに応じてそれぞれ異なるストリーム識別番号を付与することにより、１つのパケッタイズドエレメンタリストリーム（ＰＥＳ）を生成するストリーム識別番号付替手段と、
前記ＰＥＳを、新たな１つのＰＩＤを持つトランスポートパケットに再構成するＴＳ変換手段とを具備することを特徴とするデジタル信号受信装置。
【請求項２】
高能率符号化方式に従って、パケット識別番号（ＰＩＤ）により区別された複数の番組を多重してなるトランスポートストリームの入力を受け、
前記トランスポートストリームから、複数の番組をそれぞれのＰＩＤごとに分離して、ペイロードデータとして出力するＰＩＤフィルタ手段と、
前記それぞれのペイロードデータに、該ＰＩＤに応じてそれぞれ異なるストリーム識別番号を付与することにより、１つのパケッタイズドエレメンタリストリーム（ＰＥＳ）を生成するストリーム識別番号付替手段と、
前記ＰＥＳを、複数のサブプログラムから成る１つのプログラムストリームに再構成するＰＳ変換手段とを具備することを特徴とするデジタル信号受信装置。
【請求項３】
前記高能率符号化は、ＭＰＥＧ２準拠であることを特徴とする請求項１または２に記載のデジタル信号受信装置。
【請求項４】
請求項１ないし３のいずれかに記載のデジタル信号受信装置によって生成された信号から、そこに含まれる個々のストリーム識別番号ごとに独立してデコードを行なうデコード手段と、
前記個々のストリーム識別番号ごとのデコード結果を同一の画面上に配置させるようにする表示プロセッサとを具備することを特徴とするデジタル信号処理装置。
【請求項５】
請求項１ないし３のいずれかに記載のデジタル信号受信装置の各手段または各部の全部あるいは一部の機能をコンピュータにより実行させるためのプログラムを記録したことを特徴とするプログラム記録媒体。
【請求項６】
請求項４に記載のデジタル信号処理装置の各手段または各部の全部あるいは一部の機能をコンピュータにより実行させるためのプログラムを記録したことを特徴とするプログラム記録媒体。
【発明の詳細な説明】
【０００１】
【発明の属する技術分野】
本発明は、ＭＰＥＧ２に基づき符号化されたビットストリームを受信、復号し、表示するデジタル信号受信装置に関する。
【０００２】
【従来の技術】
近年、ＭＰＥＧ２（Ｍｏｖｉｎｇ  Ｐｉｃｔｕｒｅ  Ｅｘｐｅｒｔｓ  Ｇｒｏｕｐ  ｐｈａｓｅ２）の国際標準化（ＩＳＯ／ＩＥＣ  １３８１８への登録）により、デジタル高能率符号化を用いた送受信システムが実用化されている。ＭＰＥＧ２符号化方式を用いることにより、一定の伝送帯域の元での多チャンネル化が可能になる反面、同時に放送番組のチャンネル数が１００を超えることとなり、このような多数の放送番組の中から、ユーザが視聴を所望する番組を瞬時に選び出すことは、事実上困難になりつつある。
【０００３】
この問題を解決する一つの方法として、１つの画面上に複数の番組映像を縮小して配置、表示するマルチ画面の利用がある。マルチ画面によりユーザは所望の番組を視覚的に選択することができる。
【０００４】
以下、従来のマルチ画面表示方式について説明する。図７は従来のマルチ画面表示方式の構成を示すブロック図である。
【０００５】
図７において、９１はＭＰＥＧ２で規定されたトランスポートストリームをパケット識別番号（以下、ＰＩＤと呼ぶ）ごとに分割するＰＩＤフィルタ手段、９２はＰＩＤフィルタ手段の出力を一時記憶するバッファメモリ、９３はＭＰＥＧ２に準拠した方式で映像デコードを行うビデオデコード手段、９４はビデオデコード手段が使用するデコード用メモリ、９５はＰＩＤフィルタ手段９１、ビデオデコード手段９３を制御する制御手段である。又、信号９００は入力トランスポートストリーム、信号９０１、信号９０２はトランスポートパケットからヘッダを除いたパケッタイズドエレメンタリストリーム（以下ＰＥＳと表記する）、信号９０３はビデオデコード手段からのデータ要求信号、信号９０４はデコード結果出力をそれぞれ示す。
【０００６】
以上のように構成された、従来の技術によるマルチ画面表示方式について、以下その動作について説明する。まず、番組受信者はマルチ画面呼び出しの意図をリモコンのボタンを押下することなどにより制御手段９５に通知する。制御手段９５は、トランスポートストリーム９００のうちマルチチャンネルが放送されているＰＩＤをＰＩＤフィルタ手段９１に設定する。ＰＩＤフィルタ手段９１の出力９０１は、バッファメモリ９２を介し、ビデオデコード手段からのデータ要求信号９０３にしたがってＰＥＳデータ９０２を出力する。
【０００７】
ビデオデコード手段９３は、デコード用メモリ９４を使用してＭＰＥＧ２の規則にしたがってビデオデコードを行い、ベースバンドの映像信号９０４を出力する。映像信号９０４は、送信側で１画面が例えば１６分割などにマルチチャンネル化した画面で構成されているため、ユーザはマルチチャンネル画面を視聴することができる。
【０００８】
【発明が解決しようとする課題】
従来の技術によるマルチ画面表示方式は、以上のようなものであるが、しかしながら、このような構成においては、マルチ画面は送信機側が決めた特定の番組のみから成るものであり、そのようなマルチ画面には、必ずしも受信者の期待している番組が含まれているとは限らない。
【０００９】
又、視覚的に１画面は１６分割程度が最大であり、それ以上の同時番組表示は意味を成さないので、１００チャンネルを超える現在の放送形態においては同時にマルチ表示できる番組数に制限があるという問題点を有している。
【００１０】
本発明は上記のような従来の技術によるマルチ画面表示方式の問題点に鑑みてなされたものであり、受信者が所望する複数番組だけを選択的にを同時に１画面上に表示することが可能となるデジタル信号受信装置、デジタル信号処理装置およびプログラム記録媒体を提供することを目的とする。
【００１１】
【課題を解決するための手段】
上記の目的を達成するために、第１の本発明（請求項１に対応）は、高能率符号化方式に従って、パケット識別番号（ＰＩＤ）により区別された複数の番組を多重してなるトランスポートストリームの入力を受け、前記トランスポートストリームから、複数の番組をそれぞれのＰＩＤごとに分離して、ペイロードデータとして出力するＰＩＤフィルタ手段と、前記それぞれのペイロードデータに、該ＰＩＤに応じてそれぞれ異なるストリーム識別番号を付与することにより、１つのパケッタイズドエレメンタリストリーム（ＰＥＳ）を生成するストリーム識別番号付替手段と、前記ＰＥＳを、新たな１つのＰＩＤを持つトランスポートパケットに再構成するＴＳ変換手段とを具備することを特徴とするデジタル信号受信装置である。
【００１２】
また、第２の本発明（請求項２に対応）は、高能率符号化方式に従って、パケット識別番号（ＰＩＤ）により区別された複数の番組を多重してなるトランスポートストリームの入力を受け、
前記トランスポートストリームから、複数の番組をそれぞれのＰＩＤごとに分離して、ペイロードデータとして出力するＰＩＤフィルタ手段と、
前記それぞれのペイロードデータに、該ＰＩＤに応じてそれぞれ異なるストリーム識別番号を付与することにより、１つのパケッタイズドエレメンタリストリーム（ＰＥＳ）を生成するストリーム識別番号付替手段と、
前記ＰＥＳを、複数のサブプログラムから成る１つのプログラムストリームに再構成するＰＳ変換手段とを具備することを特徴とする第１の本発明のデジタル信号受信装置である。
【００１３】
また、第３の本発明（請求項３に対応）は、前記高能率符号化は、ＭＰＥＧ２準拠であることを特徴とする第１または第２の本発明のデジタル信号受信装置である。
【００１４】
また、第４の本発明（請求項４に対応）は、第１ないし第３のいずれかの本発明のデジタル信号受信装置によって生成された信号から、そこに含まれる個々のストリーム識別番号ごとに独立してデコードを行なうデコード手段と、
前記個々のストリーム識別番号ごとのデコード結果を同一の画面上に配置させるようにする表示プロセッサとを具備することを特徴とするデジタル信号処理装置である。
【００１５】
また、第５の本発明（請求項５に対応）は、第１ないし第３のいずれかの本発明のデジタル信号受信装置の各手段または各部の全部あるいは一部の機能をコンピュータにより実行させるためのプログラムを記録したことを特徴とするプログラム記録媒体である。
【００１７】
また、第６の本発明（請求項６に対応）は、第４の本発明のデジタル信号処理装置の各手段または各部の全部あるいは一部の機能をコンピュータにより実行させるためのプログラムを記録したことを特徴とするプログラム記録媒体である。
【００１８】
【発明の実施の形態】
以下本発明の実施の形態について、図面に基づいて説明する。
（実施の形態１）
図１は本発明の実施の形態１におけるデジタル信号受信装置の構成を示すブロック図である。図１において、１１はＰＩＤごとにトランスポートパケットを分割するＰＩＤフィルタ手段、１２はＰＩＤフィルタ後の複数の信号に対してストリームＩＤを新たに付け直すストリームＩＤ付替手段、１３はストリームＩＤ付替手段の出力を一時記憶するバッファメモリ、１４はバッファメモリの出力を受けてＭＰＥＧ２に従って映像信号を復号するビデオデコード手段、１５はビデオデコード手段１４が使用するデコード用メモリ、１６はビデオデコード手段の出力を縮小処理し画面の任意位置に配置する表示プロセッサである。１７はこれら各手段から構成された機能ブロック全体を制御する制御手段で、一般には機器組込み型制御マイコンなどにより実現されるものである。
【００１９】
また、図において、信号１００は入力トランスポートストリーム、１０１はＰＩＤフィルタ後の複数のＰＥＳ信号、１０２および１０３は、それぞれバッファメモリへの入力信号およびバッファメモリ１３からの出力信号となるＰＥＳデータ、１０４はビデオデコード手段１４からバッファメモリ１３に対するデータ要求信号、１０５はビデオデコード結果出力信号、１０６は表示プロセッサによって構成されたマルチ画面をなす映像ベースバンド信号をそれぞれ示す。
【００２０】
次に図２〜図４は、ＭＰＥＧ２で定義されるＰＥＳ信号のビットストリーム列の定義を示す説明図である。図において、ビットストリーム列はプログラム関数のように表現されているが、それぞれの「行」が物理的なビット列に対応しており、ハードウエア的なビットストリームの状態を示したものである。
【００２１】
以上のように構成された、本発明の実施の形態１におけるデジタル信号受信装置について、図１、２を用いて説明する。
【００２２】
はじめに、簡単のため図１において、入力のトランスポートストリーム１００は、それぞれＰＩＤ１、ＰＩＤ２、ＰＩＤ３、ＰＩＤ４のパケット識別信号（ＰＩＤ）をもつ４つの映像信号が多重された一つのトランスポートストリームであると仮定する。また、今後は１６進数を表現するために、０ｘＡＡなどのように表記する。０ｘＡＡは２進数で”１０１０  １０１０”を、１０進数では”１７０”をあらわす。
【００２３】
制御手段１７は、入力トランスポートストリーム１００から、ＰＩＤ１、ＰＩＤ２、ＰＩＤ３、ＰＩＤ４の４つの映像信号（番組）をマルチ表示することをユーザ入力等から検出し、ＰＩＤフィルタ手段１１に、ＰＩＤ１、ＰＩＤ２、ＰＩＤ３、ＰＩＤ４が割り当てられたトランスポートストリーム（ＴＳ）パケットを、フィルタリングするように設定する。
【００２４】
ＰＩＤフィルタ手段１１は、入力トランスポートストリーム１００の入力を受けると、それからＰＩＤ１、ＰＩＤ２、ＰＩＤ３、ＰＩＤ４の４種のＴＳパケットをフィルタリングし、それぞれＰＥＳ信号１０１としてストリームＩＤ付替手段１２へ出力する。
【００２５】
ストリームＩＤ付替手段１２は、上記４つのＰＥＳ信号１０１を受けると、それぞれのＰＥＳ信号に含まれているストリームＩＤを、ストリームＩＤ  ＝  ０ｘＥ０、０ｘＥ１、０ｘＥ２、０ｘＥ３に付与し直し、１つのＰＥＳ形式ストリームを出力する。
【００２６】
この際、ストリームＩＤ付け替え手段１２は、１トランスポートストリーム（ＴＳ）パケット相当の情報量ごとにＰＥＳヘッダを付加したＰＥＳデータ形式に変換する。つまり、ストリームＩＤ付替手段１２から出力されるＰＥＳデータ１０２は、図２〜図４に示すビット情報のうち、ｐａｃｋｅｔ ｓｔａｒｔ ｃｏｄｅ ｐｒｅｆｉｘ  （２４ｂｉｔｓ）、ｓｔｒｅａｍ ｉｄ    （８ｂｉｔｓ）、ＰＥＳ ｐａｃｋｅｔ ｌｅｎｇｔｈ  （１６ｂｉｔｓ）、ＰＥＳ ｐａｃｋｅｔ ｄａｔａ ｂｙｔｅからなり、ｓｔｒｅａｍ ｉｄが０ｘＥ０〜０ｘＥ３の値をとるようにする。ただし、入力トランスポートストリーム１００を構成するＴＳパケットが、もともとＰＥＳヘッダを含むものであった場合、そこに元々含まれていた情報であるＰＥＳヘッダ情報は保存して、上記ｓｔｒｅａｍ ｉｄのみを変換して出力するように動作するものとする。
【００２７】
次に、ストリームＩＤ付替手段１２から出力されたＰＥＳデータ１０２は、バッファメモリ１３に一時記憶され、ビデオデコード手段１４からのデータ要求信号１０４にしたがって、ビデオデコード手段１４へ入力される。ビデオデコード手段１４は、ＰＥＳデータ１０２の入力を受けると、これに含まれている４つのストリームＩＤごとに独立に、ＭＰＥＧ２の規則にしたがってビデオデコードを行い、デコード結果出力１０５を得る。得られたデコード結果出力１０５は、表示プロセッサ１６へ出力される。
【００２８】
表示プロセッサ１６は、デコード結果出力１０５の入力を受けると、これを画面表示できるように処理を行う。デコード結果出力１０５のうち、元々ストリームＩＤ＝０ｘＥ０からなる映像は、元の大きさから４分の１サイズに縮小され、画面の左上に配置されるように処理される。
【００２９】
又、同様にストリームＩＤ＝０ｘＥ１からなる映像は、同じく４分の１に縮小され画面の右上に、ストリームＩＤ＝０ｘＥ２の映像は左下、ストリームＩＤ＝０ｘＥ３の映像は画面の右下に、それぞれ縮小、配置されるように処理される。
【００３０】
それぞれ処理されたデコード結果出力１０５は、最後に映像ベースバンド信号１０６として、本デジタル受信装置の外部へ出力される。
【００３１】
以上の動作により、映像ベースバンド信号１０６の入力を受ける（図示しない）受像装置の画面上においては、元々ＰＩＤ１をもつ番組が左上に、ＰＩＤ２をもつ番組が右上に、ＰＩＤ３をもつ番組が左下に、ＰＩＤ４をもつ番組が右下に、それぞれ同時に縮小配置して表示されることになる。この４画面のうちに全画面に出力したい番組があれば、表示プロセッサ１６が特定のストリームＩＤのデコード結果を縮小せずに出力することにより、即座に全画面表示が可能となる。
【００３２】
このように、本発明の実施の形態１におけるデジタル受信装置によれば、受信するトランスポートストリームから、受信機側で設定しうるＰＩＤに応じて、所定の複数の番組を、マルチ画面に配置することができる。
【００３３】
なお、本実施の形態１においては、説明のため同時処理するＰＩＤ数は４つであると仮定したが、本発明はＰＩＤ数がそれ以上でも以下でも同様の効果が得られることは自明であり、他の実施例としては、９又は１６分割などが用いられる。
（実施の形態２）
以下、本発明の実施の形態２におけるデジタル信号受信装置について説明する。本実施の形態２によるデジタル信号受信装置は、実施の形態１と同様の構成を有するものであり、ビデオデコード手段１４の動作に相違点があることを除いて、実施の形態１と同様の動作を行うものである。したがって、その説明には、本実施の形態１の場合と同じく図１を用いる。以下、本実施の形態２によるデジタル信号受信装置の動作を、ビデオデコード手段１４の動作を中心に説明する。
【００３４】
はじめに、実施の形態１と同様、入力トランスポートストリーム１００は、それぞれＰＩＤ１、ＰＩＤ２、ＰＩＤ３、ＰＩＤ４のＰＩＤをもつ４つの映像信号が多重されたトランスポートストリームであり、ＰＩＤフィルタ手段１１、ストリームＩＤ付替手段１２、バッファメモリ１３は、実施の形態１とまったく同様の動作を行うものである。
【００３５】
次に、ビデオデコード手段１４の動作について説明を行う。
【００３６】
ビデオデコード手段１４は、実施の形態１と同様にして、ＰＥＳデータ１０３の入力を受けると、これに含まれたストリームＩＤごとに独立に、ＭＰＥＧ２の規則にしたがってビデオデコードを行うが、この際に、該ＰＥＳデータを構成する、ＭＰＥＧ２で規定されるＩピクチャのみをデコードし、他の構成要素であるＰピクチャおよびＢピクチャはスキップし、デコードおよび画面表示がされないようにする。
【００３７】
最後に、表示プロセッサ１６は、上記のようにして得られた、Ｉピクチャのみがデコードされているデコード結果出力１０５に対し、実施の形態１と同様に縮小および画面配置のための処理を行う。
【００３８】
これにより、デコード用メモリ１５に複数のストリームＩＤに対応した参照画像を置く必要がなくなるので、デコードメモリ容量を削減した複数番組のデコードが可能となる。
【００３９】
以上のように、本実施の形態２のデジタル信号受信装置によれば、デコード用メモリを削減した構成において、画面の多分割マルチ表示が可能となる。
（実施の形態３）
以下本発明の実施の形態３について図５を参照しながら説明する。図５は本発明の実施の形態３におけるデジタル信号受信装置の構成を示すブロック図である。図５において、図１と同一符号は同一部または相当部である。また、３４はバッファメモリの出力を受けてＭＰＥＧ２にしたがって映像信号を復号するビデオデコード手段、３５はビデオデコード手段の出力をアップサンプリング又はダウンサンプリングする画像サイズ変換手段である。また、３７はこれら機能ブロック全体を制御する制御手段で、一般には機器組込み型制御マイコンなどにより実現されるものである。
【００４０】
また、図において、信号３００は入力トランスポートストリーム、３０１はＰＩＤフィルタ後の複数のＰＥＳ信号、３０２および３０３はＰＥＳデータ、３０４はビデオデコード手段からバッファメモリに対するデータ要求信号、３０５はビデオデコード結果の映像ベースバンド信号をそれぞれ示すものであり、それぞれ実施の形態１における入力トランスポートストリーム１００、ＰＥＳ信号１０１、ＰＥＳデータ１０２および１０３、データ要求信号１０４、映像ベースバンド信号１０６に相当するものである。
【００４１】
以上のように構成された本実施の形態３におけるデジタル信号受信装置について、図５を用いて説明する。
【００４２】
はじめに、入力トランスポートストリーム３００は、それぞれＰＩＤ１、ＰＩＤ２、ＰＩＤ３、ＰＩＤ４のＰＩＤをもつ４つの映像信号が多重されたトランスポートストリームであり、ＰＩＤフィルタ手段１、ストリームＩＤ付替手段１２、バッファメモリ１３は、実施の形態１とまったく同様の動作を行うものである。
【００４３】
次に、ビデオデコード手段３４の動作およびそれ以降の動作について説明を行う。
【００４４】
ビデオデコード手段３４は、実施の形態１と同様にして、ＰＥＳデータ３０３の入力を受けると、これに含まれたストリームＩＤごとに独立に、ＭＰＥＧ２の規則にしたがってビデオデコードを行うが、デコードにより得られた参照画像は、デコード用メモリ３６に格納される前に、画像サイズ変換手段３５に転送される。
【００４５】
画像サイズ変換手段３５は、前記デコードにより得られた参照画像の入力を受けると、これを水平垂直それぞれ元の１／２のサイズにダウンサンプリングする。一方、デコード用メモリ３６から参照画像を読み出す際には、水平垂直それぞれ元の２倍のサイズにアップサンプリングする。
【００４６】
さらに画像サイズ変換手段３５は、デコード結果を映像ベースバンド信号３０５として出力する時には、読み出し時のアップサンプリング動作を行わず、デコード用メモリ１５に格納された縮小画像をそのまま出力するようにする。
【００４７】
これにより、デコード用メモリ３６中のフレームメモリサイズを小さくしたまま、４番組の同時デコードが可能となる。
【００４８】
以上のように、本実施の形態３のデジタル信号受信装置によれば、デコード用メモリのサイズを小さくした構成において、画面の多分割マルチ表示が可能となる。
【００４９】
なお、本実施の形態３においても、説明のため同時処理するＰＩＤ数は４つであると仮定したが、本発明はＰＩＤ数がそれ以上でも以下でも同様の効果が得られる。
【００５０】
また、ビデオデコード手段３４が逆離散コサイン変換を行う際に、ＩＤＣＴ係数の低次の係数のみ演算し、高次の係数は”０”とみなしてそのための演算を省略するようにしてもよい。この場合、デコード結果の広域性分が除去できるので、デコード用メモリへの参照画像データ格納時の折り返しノイズを防ぐことができると共に、デコード動作のための総演算量を減少させることが可能になる。
（実施の形態４）
以下本発明の実施の形態４におけるデジタル信号受信装置について図６を参照しながら説明する。図６は本発明の実施の形態４におけるデジタル信号受信装置の構成を示すブロック図である。図６において、図１と同一符号は同一部または相当部である。また、４３はストリームＩＤ付替手段１２の出力をトランスポートストリームに変換するＴＳ変換手段、４４はストリームＩＤ付替手段１２の出力をプログラムストリームに変換するＰＳ変換手段である。また、４５はこれら機能ブロック全体を制御する制御手段で、一般には機器組込み型制御マイコンなどにより実現されるものである。
【００５１】
又、図において、信号４００は入力トランスポートストリーム、４０１はＰＩＤフィルタ後の複数のＰＥＳ信号であり、それぞれ実施の形態１における入力トランスポートストリーム１００、ＰＥＳ信号１０１に相当する。さらに４０２はストリームＩＤ付替手段から出力したＰＥＳデータ、４０３は出力されるトランスポートストリーム、４０４は出力されるプログラムストリームである。
【００５２】
以上のように構成された本実施の形態４におけるデジタル信号受信装置について、図６を用いて説明する。
【００５３】
はじめに、本実施の形態１と同様、入力トランスポートストリーム４００は、それぞれＰＩＤ１、ＰＩＤ２、ＰＩＤ３、ＰＩＤ４のＰＩＤをもつ４つの映像信号が多重されたトランスポートストリームであり、ＰＩＤフィルタ手段１、ストリームＩＤ付替手段１２は、実施の形態１とまったく同様の動作を行うものである。
【００５４】
続いて、ＴＳ変換手段４３およびＰＳ変換手段４４の動作を説明する。
【００５５】
ＴＳ変換手段４３は、ストリームＩＤ付替手段１２から出力したＰＥＳデータ４０２の入力を受けると、これの１８４バイトごとに、ＭＰＥＧ２で規定された４バイトのトランスポートパケットヘッダを付加して、１８８バイトのトランスポートパケットからなるトランスポートストリームに変換する。
【００５６】
上記と同様にして、ＰＳ変換手段４４は、ストリームＩＤ付替手段１２から出力したＰＥＳデータ４０２の入力を受けると、これをＭＰＥＧ２で規定されたプログラムストリームに変換して出力する。
【００５７】
これにより、複数のＰＩＤで多重化されたトランスポートストリームから、ＰＩＤは１つでストリームＩＤで多重された１ＰＩＤのトランスポートストリーム又はプログラムストリームが出力される。
【００５８】
一般に、磁気テープや磁気又は光ディスク媒体などの記録メディアにデジタルストリームを記録する場合には、トランスポートストリーム又はプログラムストリームが用いられるが、本実施の形態４のデジタル信号受信装置によれば、複数ＰＩＤのトランスポートストリームを１ＰＩＤのトランスポートストリーム又はプログラムストリームに変換して出力することで、従来１番組すなわち１ＰＩＤしか同時に記録できないようなしくみの記録フォーマットをもつ機器に対しても、同時複数番組の記録を可能とすることができる。
【００５９】
また、本実施の形態におけるデジタル信号受信装置により得られたトランスポートストリームまたはプログラムストリームを受信して、複数番組の表示を行うデジタル信号処理装置を対にして用いてもよい。これは、本発明の実施の形態１ないし３のいずれかのビデオデコード手段、デコード用メモリ、表示プロセッサを備えたもので、従来のＰＩＤにしか対応できないＰＩＤフィルタ手段を備えていても、画面の多分割マルチ表示が可能となる。
【００６０】
なお、本発明のいずれの実施の形態においても、高能率符号化の方式はＭＰＥＧ２に準拠するものとして説明を行ったが、本発明はこれに限定するものではなく、他の高能率符号化方式を用いてもよい。
【００６１】
また、本発明の実施の形態におけるストリームＩＤ付け替え手段は、本発明のストリーム識別番号付加手段に相当するものであり、本発明の実施の形態におけるビデオデコード手段、デコード用メモリおよび画像サイズ変換手段は、本発明のデコード手段に相当するものである。
【００６２】
また、本発明のいずれの実施の形態においても、デジタル信号受信装置およびデジタル信号処理装置の動作は、ハードウェア的に実現するものとして説明を行ったが、これはコンピュータを用いてプログラムの働きにより、ソフトウェア的に実現してもよい。
【００６３】
また、本発明のいずれの実施の形態においても、本発明のデジタル信号受信装置およびデジタル信号処理装置を中心に説明したが、本発明の記録媒体として、以上説明した各手段の機能の全部または一部、または、各ステップの全部または一部をコンピュータにより実行させるプログラムを格納する記録媒体を用いてもよい。
【００６４】
【発明の効果】
以上説明したところから明らかなように、本発明によれば、デコード出力を画面上の任意位置に配置させるようにしたことにより、受信側で設定する複数番組を同時に表示することが可能になるデジタル信号受信装置、デジタル信号処理装置およびプログラム記録媒体が得られるという効果がある。
【図面の簡単な説明】
【図１】本発明の実施の形態１および２におけるデジタル信号受信装置のブロック図
【図２】ＭＰＥＧ２で定義されるＰＥＳ信号のビットストリーム列の定義を示す説明図（１）
【図３】ＭＰＥＧ２で定義されるＰＥＳ信号のビットストリーム列の定義を示す説明図（２）
【図４】ＭＰＥＧ２で定義されるＰＥＳ信号のビットストリーム列の定義を示す説明図（３）
【図５】本発明の実施の形態３におけるデジタル信号受信装置のブロック図
【図６】本発明の実施の形態４におけるデジタル信号受信装置のブロック図
【図７】従来の技術によるデジタル信号受信装置の動作を説明するためのブロック図
【符号の説明】
１１、９１  ＰＩＤフィルタ手段
１２  ストリームＩＤ付替手段
１３、９２  バッファメモリ
１４、３４、９３  ビデオデコード手段
１５、９４  デコード用メモリ
１６  表示プロセッサ
１７、３７、４５、９５  制御手段
４３  ＴＳ変換手段
４４  ＰＳ変換手段
【図１】
0003589913.tif 000002
【図２】
0003589913.tif 000003
【図３】
0003589913.tif 000004
【図４】
0003589913.tif 000005
【図５】
0003589913.tif 000006
【図６】
0003589913.tif 000007
【図７】
0003589913.tif 000008